(57)【要約】【課題】  騒音公害の少ない、多種多様のフックに適用が容易な汎用性の高いクレーン警報装置の提供。【解決手段】  クレーンのフック３にワイヤー１１で着脱自在に吊り下げられる携帯式警報器１０と、玉掛責任者７が手にして手動操作する携帯式無線送信機２０で構成した警報システムで、警報器１０は小型容器の筐体１１に、電子ブザー１２、無線受信機１３、乾電池式電源１４、手動式電源スイッチ１７を格納する。玉掛責任者７が警報必要と判断したときに、無線送信機２０を操作してオン信号を発信されると、これを無線受信機１３が受信して電子ブザー１２を作動させ、警報音を発生する。【選択図】図１
2006306526.tif 000002
【特許請求の範囲】
【請求項１】
クレーンのフックに着脱自在に吊下支持される筐体に、警報用電子ブザーおよび無線信号を受信して前記電子ブザーを作動させる無線受信機、前記無線受信機と電子ブザーに共用の乾電池式電源とを格納して成る携帯式警報器と、
前記無線受信機に無線信号を送信する携帯式無線送信機と、
を具備したことを特徴とするクレーン警報装置。
【請求項２】
前記筐体は、上下開口の筒状本体部と、この本体部の下端より上方に形成した底部と、前記本体部の上端開口に着脱または開閉自在に設置した蓋部を有する防水防塵容器であり、前記底部の下面に前記電子ブザーの放音口と前記無線受信機のアンテナを配設したことを特徴とする請求項１に記載のクレーン警報装置。
【請求項３】
前記電源と前記無線受信機の間に電源スイッチを介装したことを特徴とする請求項１または２に記載のクレーン警報装置。
【請求項４】
前記電源スイッチが手動式で、その手動操作部を前記底部の下面に配設したことを特徴とする請求項３に記載のクレーン警報装置。
【発明の詳細な説明】
【技術分野】
【０００１】
本発明は、クレーン作業を安全に行わしめるためのクレーン警報装置に関する。
【背景技術】
【０００２】
クレーンのフックに資材の吊荷を玉掛けして移動させるクレーン作業時に、吊荷下の周辺作業員に吊荷が移動してくることを警告するクレーン警報装置がある。このクレーン警報装置は、クレーンのオペレータまたは現場監督者が有線あるいは無線で作業現場に設置されたスピーカより警報を発する警報システムが公知であり、また、吊荷と一緒に移動するフックに人体検知センサー（赤外線センサー）と合成音声発生装置を固定配置した警報装置（例えば、特許文献１参照）や、フックにフック自体の移動を検知するセンサー（加速度センサーなど）、警報スピーカー、警告灯、電源としての発電装置などを固定配置した警報装置（例えば、特許文献２参照）が公知である。
【特許文献１】特開平０６−５６３８５号公報
【特許文献２】特開平１０−１０９８８６号公報
【発明の開示】
【発明が解決しようとする課題】
【０００３】
オペレータや現場監督者による有線・無線の警報システムは、クレーンのフックに吊荷を吊り下げる玉掛けと同時に警報を発生させるため、クレーン作業の全時間帯で連続音が作業現場で発生する。そのため、現場作業員は、連続して発生する警報音に慣れ、フックと共に吊荷が近付いてきても気が付かない場合がある。また、連続音は、作業現場近くの近隣住民に連続した騒音として聞こえることがある。
【０００４】
クレーンのフックに人体検知センサーや合成音声発生装置を取り付けた警報装置は、移動するフックと吊荷が現場作業員に近付くと、人体検知センサーが作業員を検知して警報音を発する。しかし、実際においては、人体検知センサーが人体感知だけでなく、移動するフックや吊荷の振れ、作業現場の温度差や現場からの光の反射によっても感知して誤動作することがあり、作業員を検知しなくてもフックの移動時に連続して警報音を発生することがある。さらに、フックに人体検知センサーや音声発生装置の個々をそれぞれ取付バンドなどで取り付けるようにしているが、この取付工事が工数多くて面倒であり、フックの形状によっては安定して取り付けることができず、適用できるフックの形状、サイズが限定される不具合があった。
【０００５】
また、フック自体の移動を検知して警報音を発生するものは、連続音を発生する問題の他、フックに各種のセンサーや発電装置などを組み付けるため、複雑で高価な警報装置となる。このような高価な警報装置は、クライミングクレーンのような大型フックに取り付けるには設備投資的にあまり問題ないが、中型フックや小型フックに取り付けるには設備投資的にかなり割高となり、中型クレーンや小型クレーンに採用することが難しい現実的な問題がある。また、フックに各種センサーや発電装置、バッテリーなどの個々の複数部品をそれぞれに取り付けるようにしているため、この場合も取付工事が工数多くて面倒であり、さらに適用できるフックの形状、サイズが限定される不具合があった。
【０００６】
本発明は、かかる実情に鑑みてなされたもので、その目的とするところは、クレーン作業現場の近隣住民に掛ける騒音迷惑を極力少なくすることができ、しかも、多種多様のフックに適用が容易な汎用性に優れたクレーン警報装置を提供することにある。
【課題を解決するための手段】
【０００７】
本発明は、上記目的を達成するため、クレーンのフックに着脱自在に吊下支持される筐体に、警報用電子ブザーおよび無線信号を受信して電子ブザーを作動させる無線受信機、無線受信機と電子ブザーに共用の乾電池式電源を格納した携帯式の警報器と、この警報器の無線受信機に無線信号を送信する携帯式の無線送信機とで構成したことを特徴とする。
【０００８】
ここで、クレーンのフックは、クレーンのブーム先端から吊り下がるクレーンワイヤーで吊り下げられた剛体で、鈎状の剛性フックを下端に固定または連結した剛体ブロックを含む。このフックに、携帯式警報器を専用の吊りワイヤーで着脱自在に吊り下げる。フックは、携帯式警報器と吊荷をそれぞれにワイヤー吊りし、そのまま移動する。携帯式警報器は、防水防塵容器である筐体内に、電子ブザーと無線受信機、この２つに共用される乾電池式電源を格納する。乾電池は、市販品の複数の単３形乾電池で、筐体内に固定した電池ケースに交換自在に取り付けられる。電子ブザーは、５０〜９０ｄＢ程度のフリッカ音または連続音の警報音を発生する小型で安価なブザーが適用できる。無線受信機は、外部から無線信号を受信すると内蔵したリレー接点をオンさせて電子ブザーを作動させる簡単な機能のもの、従って、構造簡単な小型で安価な受信機が適用できる。これら電子ブザーと無線受信機は、省電力の小型機器である。無線受信機の電源には例えば単３形乾電池８本の１２Ｖ直流電源ユニットが適用できる。このような携帯式警報器は、筐体に着脱自在に取り付けた吊りワイヤーを使ってクレーンのフックに吊り下げるだけでセッティングができるので、従来のようなフックへの取付工事が不要となる。また、携帯式警報器をクレーンのフックにワイヤー吊りするため、形状や大小サイズの異なる多種多様のフックのいずれにも警報器を簡単、確実にセッティングすることができ、また、フックから簡単に取り外すことができる。
【０００９】
携帯式無線送信機は、クレーンのオペレータや現場監督者、玉掛責任者などのクレーン作業現場に居る人が手に持って手動操作する小型のリモートコントローラ（リモコン）が適用できる。この無線送信機は、例えば単５形乾電池１本を電源に有し、１つの釦スイッチを備える。クレーンのフックに吊荷を玉掛けしてクレーンを動かす場合に、玉掛責任者が無線送信機を手にして必要時に釦スイッチを１回押すと、オン信号が発信されてフックにワイヤー吊りされた警報器の電子ブザーが作動し、作業現場の作業員に警報が発せられる。玉掛責任者が釦スイッチを再度押すと次はオフ信号が発信されて、電子ブザーが停止する。このように玉掛責任者が必要時のみ電子ブザーを作動させるので、作業員への警報喚起が効果的に行われ、作業現場の近隣住民に与える騒音が少なくできると共に、消費電力の無駄が少なくなり、長寿命となる。
【００１０】
本発明においては、携帯式警報器の筐体は、上下開口の筒状本体部と、この本体部の下端より上方の高さ位置に形成した上げ底構造の底部と、本体部の上端開口に着脱または開閉自在に設置した蓋部を有する防水防塵容器であり、底部の下面に電子ブザーの放音口と無線受信機のアンテナを配設した構造にすることができる。
【００１１】
ここでの筐体の本体部は、上下開口の円筒体、楕円筒体、多角筒体が適用できる。この本体部に底部を一体に形成し、本体部上に蓋部を設置する。底部の下面中央部に電子ブザーの放音口を下向きに設置し、底部の下面周辺部に無線受信機の棒状アンテナを設置する。放音口とアンテナは、本体部の下端より奥まった位置に設け、本体部を地上に置いても放音口とアンテナが地上に触れないようにする。本体部の底部より下の部分は、底部周縁から真下に延びる筒状のスカート部分となる。このスカート部分は、底部下面の放音口から下方への音の拡がり角度を規制する遮音壁として作用し、この作用で放音口からの放音がフックの真下とその近くに効果的な警報音として伝搬する。従って、電子ブザーの音量を上げることなく、クレーンの作業現場に警報音を効果的に放音することができる。また、フックの真下とその近くへの効果的な放音の伝搬で、フック側方への放音伝搬量が減少し、作業現場の近隣住民に騒音として伝搬する音量が低減する。
【００１２】
また、本発明においては、筐体内の乾電池式電源と無線受信機の間に電源スイッチを介装することができる。さらに、この電源スイッチを手動式スイッチにして、その手動操作部を筐体底部の下面に配設することができる。
【００１３】
ここでの手動式電源スイッチは、警報器の筐体の一部に手動操作部を設置したものが適用できる。クレーンのフックに警報器や吊荷を吊り下げる玉掛け作業時か作業終了時に、警報器の電源スイッチを手動でオフからオンに切り換えて、警報器を作動可能な待機状態にする。このようにすることで玉掛け作業時やその前に携帯式無線送信機からオン信号が送信されても警報器が作動せず、騒音が発生しない。玉掛け作業が終了してクレーン作業が開始されると、警報器がいつでも作動可能な待機状態にあるので、玉掛責任者が作業現場の状況を見て警報が必要と思うときに携帯式無線送信機を手動操作してオン信号を発信させると、クレーンのフックに吊り下げられた警報器から警報音が発せられて、クレーン吊荷直下およびその周辺の作業員に注意が喚起され、作業員はクレーン作業に伴う危険が回避できる。クレーン作業時に警報器の筐体が建造物に衝突しても、筐体下部のスカート部分が電源スイッチの手動操作部を保護して、手動操作部がオフに切り換わる虞がない。
【発明の効果】
【００１４】
本発明によれば、クレーン作業時の警報必要時にフックに吊り下げた警報器から電子ブザーの警報音を発生させて現場作業員に危険を警報するので、警報効果に優れ、また、クレーン作業時中に連続音が発生しなくて作業現場の近隣住民に迷惑を掛けることの少ないクレーン警報装置が提供できる。また、クレーンのフックに着脱自在とした携帯式警報器は、フックへの取付工事が不要であり、フックへの取り付けとフックからの取り外しがワンタッチ式に簡単迅速に行えるので、特に現場移動の激しい油圧式クレーンでの設置負担が軽減でき、より安全確保の向上が図れる。また、吊下式で携帯式の警報器は、フックの形状、サイズに関係なく、多種多様のいずれのフックにも着脱が容易であるので、大型クレーン以外の中型クレーン、小型クレーンにも常備品として搭載できる。さらに、携帯式警報器と携帯式無線送信機からなるクレーン警報装置は、小型軽量で安価に製作でき、また、現場への持ち込みが容易であり、現場で必要時にすぐに使用できて、実用価値と汎用性に優れる効果がある。
【発明を実施するための最良の形態】
【００１５】
以下、本発明の実施の形態を、図１〜図５を参照して説明する。
【００１６】
図１は、本発明のクレーン警報装置を装備した警報システムを示す。クレーンのブーム１の先端から吊り下がるクレーンワイヤー２でフック３が吊り下げられ、フック３に携帯式警報器１０と吊荷５が玉掛けされる。ブーム１を旋回させてフック３を警報器１０と吊荷５と共に水平方向に移動させる（クレーン作業）。フック３は、鈎状フック３ａとこの鈎状フック３ａを下端に固定した剛体ブロック３ｂを含む。鈎状フック３ａに警報器１０を吊りワイヤー１１で吊り下げ、同じ鈎状フック３ａに吊荷５を玉掛けワイヤー６で吊り下げて、玉掛け作業が行われる。剛体ブロック３ｂにワイヤー引掛け部（図示せず）を設けて、ここに警報器１０を玉掛けしてもよい。
【００１７】
本発明のクレーン警報装置は、フック３に玉掛けされる携帯式警報器１０と、玉掛け現場の責任者、現場の監督者、作業員、クレーンのオペレータなどが手にして手動操作する携帯式無線送信機２０を備える。図１は、玉掛責任者７が無線送信機２０を手にしている。
【００１８】
携帯式警報器１０は、図２に示すように、小型容器である１つの筐体１１を有する。この筐体１１に、図３の回路図に示すような電子ブザー１２、無線受信機１３、乾電池式電源１４が格納される。乾電池式電源１４は、電子ブザー１２と無線受信機１３に共通の直流電源である。また、筐体１１に、手動式電源スイッチ１７が格納される。
【００１９】
警報器１０の具体例を図４に示す。筐体１１は有底上蓋付きのＡＢＳ樹脂製の防水防塵容器である。この容器は、防水・防塵保護等級［ＩＰ−５４］ボックスを適用する。筐体１１の上部両端に一対の取付片３１を一体に有する。この一対の取付片３１は、筐体１１から上方に突出し、この突出部に１本の吊りワイヤー３２の両端部がワンタッチ式のジョイント金具３３を介して着脱自在に連結される。吊りワイヤー３２の中央部がフック３に玉掛けされる。フック３の直ぐ下の吊りワイヤー中央部に戻り止めリング３４がワンタッチで係合されて、吊りワイヤー３２の姿勢を安定させる。
【００２０】
筐体１１は、上下開口の筒状本体部１１ａと、本体部１１ａの下端より所定の高さ位置に形成した底部１１ｂと、本体部１１ａの上端開口に着脱自在に設置したキャップ状の蓋部１１ｃを有する。底部１１ｂの上面に電子ブザー１２と電源スイッチ１７が固定され、電子ブザー１２上に扁平な無線受信機１３が固定される。無線受信機１３上に乾電池式電源１４を構成する電池ケース１５が固定され、電池ケース１５に複数の乾電池、例えば８個の単３形乾電池１６が収納される。電池ケース１５は、無線受信機１３との間に気密に封着した防水仕切部材（図示せず）に固定される。電池ケース１５と無線受信機１３と電源スイッチ１７が配線され、無線受信機１３と電源スイッチ１７と電子ブザー１２が配線されて、図３のブザー警報回路を構成する。電池ケース１５に８個の単３形乾電池１６が上下二段に収納されて直列接続され、１２Ｖの直流電源回路を構成する。電池ケース１５の上に蓋部１１ｃが設置される。蓋部１１ｃは、本体部１１ａと別体のねじ蓋で、本体部１１ａの上端部内周に螺装される。蓋部１１ｃの上面に取っ手部を設けて、本体部１１ａに蓋部１１ｃが手動で螺装し易いようにしている。本体部１１ａの上端と蓋部１１ｃの下面周縁部との間にリング状パッキングを介在させて、筐体１１に防水防塵性能を持たせている。本体部１１ａの上端開口から蓋部１１ｃを外して、電池ケース１５の乾電池１６を交換する。蓋部１１ｃを取り外すことで、電池交換がし易いようにしている。
【００２１】
また、円形の底部１１ｂの下面中央部に電子ブザー１２の放音口１２’を下向きに設置する。この底部１１ｂの下面周辺部の１８０°反対の２箇所の一方に無線受信機１３の棒状アンテナ１３’を下向きに突設し、他方に電源スイッチ１７の手動操作部１７’を設置する。本体部１１ａの底部１１ｂより下のスカート部分１１ｄは円筒状で、このスカート部分１１ｄの高さをアンテナ１３’の長さより大きく設定する。この設定で、スカート部分１１ｄの下端開口からアンテナ１３’が突出しないようにしてある。底部１１ｂの下面に露呈する放音口１２’と電源スイッチ手動操作部１７’は、スカート部分１１ｄの下端開口から十分に奥まった高さ位置にある。スカート部分１１ｄは、底部１１ｂの下面の放音口１２’、アンテナ１３’、手動操作部１７’を囲い、外部衝撃力から保護する保護壁として機能する。さらに、スカート部分１１ｄは、底部１１ｂの下面中央部の放音口１２’から発する警報音の下方への拡がり角度θを規制する遮音壁として機能する。
【００２２】
図５に示すように、携帯式無線送信機２０は、片手で持てる扁平な樹脂ケース２１を備える。樹脂ケース２１に単５形乾電池２２の電源が収納される。樹脂ケース２１の一部に設置された釦スイッチ２３を指で１回押すと、オン信号の無線信号が発信され、再度１回押すとオフ信号が発信され、以後、１回押す毎にオン信号とオフ信号が繰り返し発信される。なお、図５の符号２４は、樹脂ケース２１に形成したストラップ取付穴である。
【００２３】
図１のクレーン作業における吊荷下警報の動作を説明する。フック３に警報器１０を玉掛けして、図４の電源スイッチ１７の手動操作部１７’を手動でオン操作し、警報器１０をいつでも作動するように待機させる。フック３に吊荷５を玉掛けしてクレーン作業を開始し、この作業を玉掛責任者７が無線送信機２０を手にして監視する。吊荷５が移動して現場作業員に近付くのを玉掛責任者７が見て、無線送信機２０の釦スイッチ２３を１回押すと、オン信号が吊荷５と共に移動する警報器１０に発信される。警報器１０の無線受信機１３がアンテナ１３’を介して無線送信機２０からのオン信号を受信すると、リレー接点をオンして電子ブザー１２を電源１４に接続し、電子ブザー１２が作動して警報音を発生する。警報音は、筐体１１の底部１１ｂの下面中央の放音口１２’から下向けに発せられ、スカート部分１１ｄで拡がり角度θが決められる。そのため、警報音は警報器１０の真下の吊荷５に向けて発せられ、吊荷５の下方とその周辺近くを警報する。そのため、吊荷下の作業員に効果的に警報がなされて、危険が回避される。また、警報音は吊荷下から遠く離れた近隣場所にはあまり伝達しないので、近隣住民に騒音として聞こえる音量が小さくなり、ほとんど騒音公害とならない。
【００２４】
玉掛責任者７は、クレーン作業での危険が回避されたと判断すると、クレーン作業が継続していても任意時に無線送信機２０の釦スイッチ２３を再び１回押す。すると、オフ信号が発信され、このオフ信号を警報器１０の無線受信機１３が受信してリレー接点をオフにする。このオフで、電子ブザー１２が電源１４から切り離されて作動停止し、警報音が消える。このように玉掛け作業を最も熟知する玉掛責任者７の判断で、警報器１０を必要時のみ作動させることで、警報効果が上がると共に、警報器１０が無駄な電力を消費しないので乾電池式電源１４の寿命が延び、電池交換の頻度が少なくなる。
【００２５】
なお、本発明のクレーン警報装置は、上記した実施の形態に限定されるものではなく、本発明の要旨を逸脱しない範囲内において種々変更を加え得ることは勿論である。
【図面の簡単な説明】
【００２６】
【図１】本発明に係るクレーン警報装置を装備したクレーン作業現場を概略的に示す側面図である。
【図２】図１におけるクレーンのフックと警報器の拡大図である。
【図３】図１におけるクレーン警報装置の回路図である。
【図４】図２の警報器の部分断面を含む拡大側面図である。
【図５】図１におけるクレーン警報装置の無線送信機の平面図である。
【符号の説明】
【００２７】
１    ブーム
２    クレーンワイヤー
３    フック
３ａ    鈎状フック
３ｂ    剛体ブロック
５    吊荷
６    ワイヤー
７    玉掛責任者
１０    携帯式警報器
１１    吊りワイヤー
１１    筐体
１１ａ    本体部
１１ｂ    底部
１１ｃ    蓋部
１１ｄ    スカート部分
１２    電子ブザー
１２’    放音口
１３    無線受信機
１３’    アンテナ
１４    乾電池式電源
１５    電池ケース
１６    乾電池
１７    手動式電源スイッチ
１７’    手動操作部
２０    携帯式無線送信機
２１    樹脂ケース
２２    乾電池
２３    釦スイッチ
【図１】
2006306526.tif 000003
【図２】
2006306526.tif 000004
【図３】
2006306526.tif 000005
【図４】
2006306526.tif 000006
【図５】
2006306526.tif 000007